(57)【要約】【課題】使用者のベルトにカラビナを介して吊り下げられた機器を容易にカラビナから取り外すことができるようにする。【解決手段】カラビナフック２０は、ハンドル部１１と工具本体部１２とを構成するハウジング１４を備えた機器に装着され、ハウジング１４の側面に装着される装着片２１と、機器をカラビナに吊り下げるときにカラビナに係止される係止片２２と、装着片２１と係止片２２との間に連なって一体に設けられる開放操作片２３ａとを有している。開放操作片２３ａは湾曲部４２を有し、機器を吊り下げ姿勢から使用姿勢に反転移動させたときにカラビナの内面側から外面側に横切るとともにカラビナのゲートの外面を横切る方向にゲートに当接してゲートを開放する。【選択図】図２
2020104192.tif 000002
【特許請求の範囲】
【請求項１】
ハウジングを備えた機器に装着可能なフックであって、
前記ハウジングの側面に装着される装着片と、
前記装着片に接続され、前記装着片から下方に延びる開放操作片と、
前記開放操作片の下端に接続される係止片と、を有し、
前記開放操作片は、前記装着片が前記ハウジングに装着される側とは逆側に突出する突出部を有する、機器用のフック。
【請求項２】
請求項１記載の機器用のフックにおいて、
前記突出部は、前記ハウジングから離れる方向に突出している、機器用のフック。
【請求項３】
請求項１または２記載の機器用のフックにおいて、
前記開放操作片は、当該開放操作片の長手方向に螺旋形状である、機器用のフック。
【請求項４】
請求項１〜３のいずれか１項に記載の機器用のフックにおいて、
前記開放操作片は、前記装着片から前記ハウジングの前後方向外方に突出する突出部を有する、機器用のフック。
【請求項５】
請求項１〜４のいずれか１項に記載の機器用のフックにおいて、
前記係止片は、前記機器をカラビナに吊り下げる時にカラビナに係止され、
前記係止片と前記開放操作片との連なり部分は、前記機器を吊り下げ姿勢から使用姿勢に反転移動させるときの前記機器の支点を有し、前記支点を中心として前記機器を回転させることでゲートを開放し、前記カラビナと前記係止片との係止を解除する、機器用のフック。
【請求項６】
請求項１〜５のいずれか１項に記載の機器用のフックにおいて、
前記係止片から前記装着片に向けて突出し、前記機器を使用者のベルトに引っ掛けるためのベルトフックを前記係止片に設けた、機器用のフック。
【請求項７】
請求項１〜５のいずれか１項に記載の機器用のフックにおいて、
前記装着片を移動自在に支持するスリーブを前記ハウジングに取り付け、前記機器の使用者のベルトに引っ掛けるためのベルトフックを前記スリーブに取り付けた、機器用のフック。
【請求項８】
請求項１〜７のいずれか１項に記載の機器用のフックにおいて、
前記装着片は、前記開放操作片が前記機器の後方に迫り出す迫り出し位置と、前記機器との側面に重なる重なり位置との間で移動自在である、機器用のフック。
【請求項９】
請求項１〜８のいずれか１項に記載の機器用のフックにおいて、
前記装着片の一端部と前記係止片の一端部との間に設けられる１つの前記開放操作片と、前記装着片の他端部と前記係止片の他端部との間に設けられる他の１つの前記開放操作片とが前記装着片の長手方向中央部に対して対称に配置され、前記機器の左右両方の側面のいずれにも装着し得る、機器用のフック。
【請求項１０】
請求項９記載の機器用のフックにおいて、
前記係止片から前記装着片に向けて突出するベルトフックを前記係止片の長手方向中央部に設け、前記ベルトフックと２つの前記開放操作片との間にベルトが入り込む隙間を形成し、前記機器を使用者のベルトに引っ掛けるようにした、機器用のフック。
【請求項１１】
請求項９記載の機器用のフックにおいて、
前記装着片を移動自在に支持するスリーブを前記ハウジングに取り付け、前記機器の使用者のベルトに引っ掛けるためのベルトフックを前記スリーブに取り付けた、機器用のフック。
【請求項１２】
請求項１〜１１のいずれか１項に記載の機器用のフックが設けられた機器。
【発明の詳細な説明】
【技術分野】
【０００１】
本発明はインパクト工具やブロワやライト等の機器を保持するための機器用のフックに関する。
【背景技術】
【０００２】
機器には、ドライバドリル、インパクトドライバ、電子パルスドライバ、ロータリハンマドリル、インパクトレンチ、エアー工具、エンジン工具、ブロワ、ライト等がある。インパクトドライバは、ドリルの機能とドライバの機能を有するドライバドリルの機能に加えて、先端工具に回転方向の衝撃力を付加することができ、ドライバドリルに比してねじを強く締め付けることができる。電子パルスドライバは、電動モータに一定の負荷が加わると、電動モータを空回りさせてその回転の勢いにより先端工具を回転方向に叩くようにした機器である。ロータリハンマドリルは、先端工具に打撃力を加える機能を有しており、コンクリートのハツリ作業を行うことができる。また、インパクトレンチはボルトやナットを回転方向に打撃力を加えて回転させる機能を有している。
【０００３】
このような機器を使用者のベルトに吊り下げるようにするため、機器の基端部にはベルトフックやカラビナフック等のフックが設けられる。フックの形態には、使用者のベルトに直接係合つまり引っ掛けるようにしたベルトフック、これに代えるか、またはこれに加えて、使用者のベルトにカラビナを介して係止つまり引っ掛けて止め付けるようにしたカラビナフックがある。
【０００４】
特許文献１に記載されたインパクト工具には、使用者のベルトに直接引っ掛けて係合させるようにした係合舌片からなるベルトフックが設けられている。このような形態のフックにおいては、ベルトフックに設けられた貫通孔にカラビナを係止させることができる。
【先行技術文献】
【特許文献】
【０００５】
【特許文献１】特開２０１１−６２７７１号公報
【発明の概要】
【発明が解決しようとする課題】
【０００６】
特許文献１に記載されたインパクトレンチ等の機器においては、ベルトフックとしての係合舌部に設けられた貫通孔にカラビナを係止させることにより、ベルトに装着されたカラビナに機器を吊り下げることができる。しかしながら、フックが係止されたカラビナを介してベルトに吊り下げられた機器を、ベルトから取り外すには、一方の手でカラビナフックの貫通孔の位置をカラビナのゲートの位置に移動し、他方の手でゲートを開放操作しなければならず、両手を用いて機器をカラビナから取り外す必要がある。
【０００７】
カラビナフックが取り付けられた機器においても、ループ状のカラビナとカラビナフックとの係止状態を解除してベルトから機器を取り外すには、両手を用いる必要があり、使用者が機器の取り外し操作を容易に行うことができないという課題があった。
【０００８】
カラビナフックとしては、機器の側面に取り付けられて後方下向きに突出する傾斜片と、傾斜片の先端から上方に折り曲げられた部分およびその上端部から機器の背面に沿うように直角に折り曲げられた水平部からなる折り曲げコーナー片とを備えたものがある。このタイプのカラビナフックをカラビナから取り外すには、まず、機器の先端部が使用者から離れるように横向きに機器を回転させる。次いで、コーナー片の水平部をカラビナのゲートの外面に突き当てるように手首をねじって機器を首振り旋回させ、ゲートを水平部により開放操作する必要がある。このカラビナフックは、片手でカラビナから機器を取り外すことができるが、取り外し操作が終了したときには、機器は使用者の側面から横方向を向いた状態となる。
【０００９】
従来のカラビナフックは、カラビナから機器を取り外すには、両手を操作する必要があり、取り外し操作を容易に行うことができない。一方、片手の操作により取り外すようにしたカラビナフックにおいては、機器を横向きに回転させる操作と、手首をねじる操作とを行う必要があり、取り外し操作を容易に行うことができない。
【００１０】
本発明の目的は、使用者が機器に容易に着脱可能なフックを提供することにある。
【課題を解決するための手段】
【００１１】
本発明の機器用のフックは、ハウジングを備えた機器に装着可能なフックであって、前記ハウジングの側面に装着される装着片と、前記装着片に接続され、前記装着片から下方に延びる開放操作片と、前記開放操作片の下端に接続される係止片と、を有し、前記開放操作片は、前記装着片が前記ハウジングに装着される側とは逆側に突出する突出部を有する。
【発明の効果】
【００１２】
カラビナフックは装着片が機器のハウジングに装着され、ベルトのカラビナにカラビナフックの係止片を係止させて機器が吊り下げられた状態から、使用姿勢に機器を反転させると、係止片と開放操作片との接続部付近を支点中心としてカラビナフックが反転移動する。反転移動により、開放操作片の突出部がカラビナのゲートをその外面を横切るときに、ゲートに当接してゲートが開放される。このように、吊り下げられた状態の機器を使用姿勢に反転させる動作によって、カラビナのゲートが開放されるので、反転操作のみによって、機器を容易にカラビナから取り外すことができる。反転操作のみによってカラビナから取り外すことができるとともに、使用姿勢に反転された状態そのままで、機器を使用した作業を行うことができ、機器の作業性を大幅に向上させることができる。
【図面の簡単な説明】
【００１３】
【図１】一実施の形態であるカラビナフックが装着されたインパクトドライバの正面図である。
【図２】図１の右側面図である。
【図３】（Ａ）は図２の平面図であり、（Ｂ）は図２の底面図である。
【図４】上下を反転させた状態におけるインパクトドライバの背面図である。
【図５】（Ａ）はカラビナフックの正面図であり、（Ｂ）は（Ａ）の左側面図であり、（Ｃ）は（Ａ）の右側面図である。
【図６】（Ａ）はカラビナフックの背面図であり、（Ｂ）は図５（Ａ）の平面図であり、（Ｃ）は図５（Ａ）の底面図である。
【図７】（Ａ）は図５（Ａ）における７Ａ−７Ａ線断面図であり、（Ｂ）は図５（Ａ）における７Ｂ−７Ｂ線断面図であり、（Ｃ）は図７（Ｂ）における７Ｃ−７Ｃ線断面図である。
【図８】（Ａ）はインパクトドライバの吊り下げ姿勢におけるカラビナとカラビナフックとの位置関係を示す正面図であり、（Ｂ）は（Ａ）における８Ｂ−８Ｂ線断面図である。
【図９】（Ａ）はインパクトドライバを吊り下げ姿勢から使用姿勢に反転移動させた状態におけるカラビナとカラビナフックとの位置関係を示す正面図であり、（Ｂ）は（Ａ）における９Ｂ−９Ｂ線断面図である。
【図１０】（Ａ）は左右両側にカラビナフックが装着され、それぞれの１つの開放操作片を後方に迫り出させた状態のインパクトドライバの要部を示す斜視図であり、（Ｂ）は左右両側にカラビナフックが装着され、それぞれの開放操作片を前側に引っ込めて側面に重ならせた状態のインパクトドライバの要部を示す斜視図である。
【図１１】（Ａ）はカラビナフックをカラビナに係止させるため、ベルトのカラビナにカラビナフックを接触させた状態を示す正面図であり、（Ｂ）はカラビナフックによりゲートが押し開かれた状態を示す正面図であり、（Ｃ）はカラビナフックがゲートを通過してカラビナフックが係止された状態を示す正面図である。
【図１２】（Ａ）はカラビナフックをカラビナから取り外すためにインパクトドライバを吊り下げ姿勢から使用姿勢に反転させている状態を示す正面図であり、（Ｂ）はカラビナフックによりゲートが押し開かれている状態を示す正面図であり、（Ｃ）はカラビナフックがゲートを通過してカラビナから外れた状態を示す正面図である。
【図１３】（Ａ）は他の実施の形態のカラビナフックの正面図であり、（Ｂ）は（Ａ）の左側面図であり、（Ｃ）は（Ａ）の右側面図である。
【図１４】（Ａ）は他の実施の形態のカラビナフックの背面図であり、（Ｂ）は図５（Ａ）の平面図であり、（Ｃ）は図５（Ａ）の底面図である。
【発明を実施するための形態】
【００１４】
以下、本発明の実施の形態を図面に基づいて詳細に説明する。図１〜図４に示される機器は、インパクトドライバ１０であり、ハンドル部１１と、ハンドル部１１の一端側に設けられる胴体部つまり工具本体部１２と、ハンドル部１１の他端側に設けられるバッテリ装着部１３とを構成するハウジング１４を備えている。ハウジング１４は工具本体部１２とハンドル部１１との部分により、側面においてＴ字形状となっている。
【００１５】
インパクトドライバ１０の基端部に設けられたバッテリ装着部１３には、電力供給源としてのバッテリ１５が着脱自在に装着される。バッテリ１５からの電力により駆動される電動モータが工具本体部１２の内部に組み込まれており、工具本体部１２の先端部に設けられた先端工具保持部１６は電動モータにより回転駆動される。
【００１６】
図１〜図４に示されるインパクトドライバ１０は、先端工具保持部１６に先端工具であるドリルビット１７が装着されている。ドリルビット１７に回転方向の打撃力を加えるために、工具本体部１２内には減速機構および打撃機構が組み込まれている。ハンドル部１１の正面側には、トリガスイッチ１８が設けられており、トリガスイッチ１８の操作により電動モータの起動と停止が操作される。
【００１７】
図１および図２には、基端部のバッテリ装着部１３を下側とし、工具本体部１２を上側とした状態でインパクトドライバ１０が示されている。使用者がハンドル部１１を手に持って作業を行うときには、正面側のドリルビット１７が使用者の前方に向けられる。この明細書においては、工具本体部１２のうち先端工具保持部１６側をインパクトドライバ１０の正面とし、反対側を背面とする。
【００１８】
ハウジング１４のうちバッテリ装着部１３の一方の側面には、図１および図２に示されるように、機器用のカラビナフック２０が装着されている。図５（Ａ）はカラビナフック２０の正面図であり、図５（Ｂ）は図５(Ａ)の左側面図であり、図５（Ｃ）は図５（Ａ）の右側面図である。図６（Ａ）はカラビナフック２０の背面図であり、図６（Ｂ）は図５（Ａ）の平面図であり、図６（Ｃ）は図５（Ａ）の底面図である。カラビナフック２０について、この明細書においては、図５（Ａ）に示される面を正面または外面とし、図６（Ａ）に示される反対側の面を背面または内面とする。カラビナフック２０の正面はこれがインパクトドライバ１０に装着されたときにその外側となり、カラビナフック２０の背面はインパクトドライバ１０に対向する内面となる。
【００１９】
図５および図６に示されるように、カラビナフック２０はハウジング１４の側面に装着される装着片２１を有している。装着片２１は、バッテリ装着部１３の一方の側面、つまり図１に示されるインパクトドライバ１０においては、正面から見て右側の側面に装着されており、装着片２１は、インパクトドライバ１０の前後方向つまり工具本体部１２の長手方向に延びている。カラビナフック２０は、装着片２１に沿って装着片２１に対向して延びる係止片２２を有している。
【００２０】
装着片２１の一端部と係止片２２の一端部との間には、第１の開放操作片２３ａが設けられており、開放操作片２３ａは装着片２１から下方に延びている。開放操作片２３ａは装着片２１と係止片２２との間に連なって、これらと一体に設けられている。同様に、装着片２１の他端部と係止片２２の他端部との間には、第２の開放操作片２３ｂが設けられており、開放操作片２３ｂは装着片２１から下方に延びている。開放操作片２３ｂは装着片２１と係止片２２との間に連なって、これらと一体に設けられている。このように、図示されるカラビナフック２０は、装着片２１の一端部側に設けられる１つの開放操作片２３ａと、他端部側に設けられる他の１つの開放操作片２３ｂとの２つの開放操作片を備えたツイン型である。それぞれの開放操作片２３ａ、２３ｂの下端には係止片２２が接続されている。
【００２１】
係止片２２の長手方向中央部には、図６（Ｃ）に示されるように、外方つまりインパクトドライバ１０のハウジング１４から離れる方向に山形に屈曲した屈曲部２４が設けられている。この屈曲部２４は、図５（Ｂ）および図５（Ｃ）に示されるように、装着片２１の方向に傾斜している。屈曲部２４には係合舌片からなるベルトフック２５が設けられ、ベルトフック２５は開放操作片２３ａ、２３ｂに沿って延びている。
【００２２】
ベルトフック２５は、開放操作片２３ａ、２３ｂよりもインパクトドライバ１０の外方に配置されており、機器であるインパクトドライバ１０を使用者のベルトに直接引っ掛けたり、脚立等の種々の部材に直接引っ掛けたりするために使用される。ベルトフック２５と、その内側の開放操作片２３ａ、２３ｂとの間には、図５（Ｂ）および図５（Ｃ）に示されるように、ベルトが入り込む隙間２６が形成される。使用者のベルトにベルトフック２５を容易に係合させるようにするために、ベルトフック２５の先端部２５ａは外側に向けて僅かに傾斜している。
【００２３】
ベルトフック２５を使用者のベルトに係合させるときには、図４に示されるように、工具本体部１２が下側となるようにインパクトドライバ１０は吊り下げ姿勢に設定される。図１および図２は、工具本体部１２が上側となった状態を示しており、この状態は、インパクトドライバ１０が通常使用される基本的な姿勢であり、図１および図２を使用姿勢とする。
【００２４】
２つの開放操作片２３ａ、２３ｂは、図５（Ａ）に示されるように、装着片２１の長手方向中央部つまりベルトフック２５の幅方向中央部を中心として相互に左右対称である。このように開放操作片２３ａ、２３ｂは、カラビナフック２０の左右両側の部分に、装着片２１の長手方向中央部に対して対称に配置される。
【００２５】
使用者のベルトにループ状のカラビナ３０を介してインパクトドライバ１０を吊り下げるときには、インパクトドライバ１０は、図４に示されるように、工具本体部１２が下側となるようにカラビナ３０に吊り下げられる。係止片２２をカラビナ３０に係止させることによりインパクトドライバ１０が吊り下げ姿勢となると、図８に示されるように、カラビナフック２０の係止片２２は装着片２１よりも上側になる。カラビナ３０は、図８（Ａ）に示されるように、ベルト３１に設けられた回動支持部３２に回動自在に装着される旋回ロッド部３３と、ピン３４を中心に開閉動自在のゲート３５が設けられた着脱ロッド部３６とを有し、旋回ロッド部３３と着脱ロッド３６部は、上下のアーム部３７、３８により一体に連なっており、全体的にループ状となっている。
【００２６】
カラビナフック２０をカラビナ３０に係止させる際に、ゲート３５が、ピン３４を中心にベルト３１に接近するように開放移動されると、着脱ロッド３６には着脱用のゲート開放空間が形成される。このように、カラビナフック２０の係止片２２を外側からゲート３５に押し付けると、ゲート３５は開放されて、カラビナフック２０の係止片２２はカラビナ３０に係止される。ゲート３５にはゲート空間を閉じる方向のばね力が加えられており、外側からゲート３５を押し付けなければ、ゲート開放空間は閉じられた状態を保持する。図８は、カラビナ３０にカラビナフック２０が係止された状態を示し、機器であるインパクトドライバ１０は、先端部側の工具本体部１２が下側となり、バッテリ装着部１３およびバッテリ１５の基端部側が上側となって、カラビナフック２０の係止片２２がカラビナ３０に係止される。この状態でインパクトドライバ１０はベルト３１に吊り下げられる。
【００２７】
カラビナ３０を介してベルト３１に吊り下げられていたインパクトドライバ１０を、カラビナ３０から取り外すには、インパクトドライバ１０を図４に示した吊り下げ姿勢から、図１および図２に示した使用姿勢に反転移動させる。このときには、インパクトドライバ１０の反転移動により、カラビナフック２０は、図８（Ｂ）において矢印Ｒで示される方向に反転される。係止片２２の開放操作片２３ａ側の端部は、支点部４１を構成している。インパクトドライバ１０を使用姿勢に反転移動させるときには、カラビナ３０の着脱ロッド３６とアーム部３８の境界部分は当接部を形成する支点部４１に当接し、カラビナフック２０は支点部４１の部分を中心として、アーム部３８の外周面を滑るように、反転移動する。このように、係止片２２はインパクトドライバ１０を吊り下げるときにはカラビナ３０を係止し、係止片２２の開放操作片２３ａ側の端部の支点部４１は、インパクトドライバ１０の反転操作時には反転動作の中心部を形成する。開放操作片２３ａは、支点部４１から装着片２１までの部分が湾曲部４２となっている。
【００２８】
湾曲部４２は、図５（Ａ）および図８（Ｂ）に示される正面において、ベルトフック２５に向けて突出する方向に屈曲した屈曲部４３と、開放操作片２３ａの装着片２１との接続部においてはベルトフック２５から離れる方向に屈曲した屈曲部４４とを有しており、両方の屈曲部４３、４４は中間部４５により一体となっている。屈曲部４３は、図５（Ｂ）、図５（Ｃ）に示されるように、中間部４５に向けて外側に屈曲しており、屈曲部４４は逆に中間部４５から内側に向けて屈曲している。したがって、屈曲部４３、４４と中間部４５からなる湾曲部４２は、外側つまりインパクトドライバ１０のハウジング１４から離れる方向に突出している。
【００２９】
このように、開放操作片２３ａの湾曲部４２は、カラビナフック２０が当接部つまり支点部４１の部分を中心として反転移動すると、図９（Ｂ）に示されるように、屈曲部４３と中間部４５の部分が着脱ロッド３６を内方側から外方側に横切るとともに、中間部４５と屈曲部４４の部分がゲート３５の外面を横切る方向に沿ってゲート３５に当接する。当接開始時には、まず、突出部４６がゲート３５の先端部側の外面に当接する。
【００３０】
したがって、インパクトドライバ１０が使用姿勢に反転されると、開放操作片２３ａの支点部４１はカラビナ３０の内側に位置し、湾曲部４２がカラビナ３０の内側から外側に蛇行し着脱ロッド３６を内方側から外方側に巻き付く状態になるとともに、突出部３６がゲート３５の外面を横切る方向に当接するので、ゲート３５には突出部４６又は湾曲部４２から開放方向の押し付け力が加えられる。これにより、インパクトドライバ１０を吊り下げ姿勢から使用姿勢に反転させると、その反転操作力により、自動的にカラビナ３０のゲート３５が開放され、カラビナ３０と係止片２２との係止状態が解除される。
【００３１】
開放操作片２３ａには、図５（Ａ）に示されるように、突出部４６が設けられている。突出部４６は、装着片２１からハウジング１４の前後方向外方に突出するとともに、図５（Ｂ）、（Ｃ）に示されるように、ハウジング１４に向けて傾斜している。この突出部４６は、カラビナフック２０が吊り下げ姿勢から使用姿勢に反転されるときに、カラビナ３０のゲート３５の外面に横切って当接し、ゲート３５の開放動作を円滑に達成させることができる。
【００３２】
図５（Ａ）に示されるように、開放操作片２３ａはその正面方向から見ると、全体的にＳ字形状となって蛇行している。また、図５（Ｃ）に示されるように、右側面から見ると、全体的にＳ字形状となって蛇行している。したがって、開放操作片２３ａは、平面側または底面側から見ると、図６（Ｂ）、（Ｃ）に破線で示されるように、長手方向に螺旋形状である。この螺旋形状に関しては、小型化を優先する場合は、正面側もしくは右側面側から見てどちらか一方でもＳ字形状になっていれば同様の効果を有する。
【００３３】
上述した第１の開放操作片２３ａに対して、第２の開放操作片２３ｂは、装着片２１の長手方向中央部に対して対称に配置されている。したがって、開放操作片２３ｂも開放操作片２３ａと同様に、湾曲部４２および突出部４６を有しており、重複した説明は省略する。なお、第２の開放操作片２３ｂは、図６（Ａ）に示されるように、背面側から見ると、Ｓ字形状に蛇行している。
【００３４】
カラビナフック２０は、開放操作片２３ａ、２３ｂとベルトフック２５とを有しているが、カラビナフック２０を使用者のベルトに直接係合させない場合には、ベルトフック２５が取り除かれた形態のカラビナフックとすることができる。
【００３５】
カラビナフック２０は、装着片２１の部分でインパクトドライバ１０のハウジング１４に装着される。装着片２１は、図５および図７に示されるように、ハウジング１４に取り付けられるスリーブ５１に移動自在に組み付けられている。装着片２１の背面には、ハウジング１４に形成された位置決め溝に挿入される突起部５２が設けられている。スリーブ５１には２つの取付孔５３ａ、５３ｂが厚み方向に貫通して設けられており、一方の取付孔５３ａに取り付けられるねじ部材５４によりスリーブ５１はハウジング１４に取り付けられる。ハウジング１４にはねじ部材５４がねじ結合されるねじ孔が設けられている。カラビナフック２０は、突起部５２を溝に挿入させることにより、１つのねじ部材５４によりハウジング１４の所定の位置に固定される。
【００３６】
スリーブ５１は装着片２１の横断面形状に対応して形成された貫通孔を有し、装着片２１は貫通孔に移動自在に保持されている。ねじ部材５４は装着片２１に長手方向に延びて形成された長孔５５を貫通している。スリーブ５１の背面側部には、長孔５５内に突出するばねホルダ５６が設けられ、ばねホルダ５６には板ばね５７からなるばね部材とばねスイッチ５８とが保持されている。長孔５５の内面には、長手方向に離れて２つのノッチつまり切欠き溝５９ａ、５９ｂが設けられており、ばねスイッチ５８は板ばね５７を上方に押し上げて切欠き溝５９ａ、５９ｂと板ばね５７との係合を外す際に操作される。ばねスイッチ５８はスリーブ５１の正面側に取り付けられたばねスイッチカバー５０により覆われており、ばねスイッチカバー５０はばねスイッチ５８に取り付けられている。ばねスイッチカバー５０は、カラビナフック２０をスリーブ５１に沿ってスライドするときに使用者により操作される操作部としての機能を有している。ばねスイッチ５８とばねスイッチカバー５０は、板ばね５７を切欠き溝に係合させてカラビナフック２０をスリーブ５１に固定させるときに、より確実に固定させることができる。
【００３７】
ばねスイッチ５８とばねスイッチカバー５０は、カラビナフック２０をスリーブ５１に沿ってスライドさせるときにより簡単にスライドさせることができるように設けられている。ただし、ばねスイッチ５８とばねスイッチカバー５０とを設けなくとも、多少のスムーズさは失われるもののカラビナフック２０を指で移動することにより同じような動作を行うことができる。
【００３８】
長孔５５の内面には、長手方向に離れて２つのノッチつまり切欠き溝５９ａ、５９ｂが設けられている。図２に示されるように、スリーブ５１をねじ部材５４によりハウジング１４のバッテリ装着部１３に取り付け、第１の開放操作片２３ａをバッテリ装着部１３の後方に迫り出させると、図７（Ｃ）に示されるように、切欠き溝５９ａに板ばね５７が係合する。このように、開放操作片２３ａをバッテリ装着部１３の側面よりも後方にずらして板ばね５７を切欠き溝５９ａに係合させた状態においては、弱い外力ではカラビナフック２０は移動しないので、カラビナフック２０に容易にカラビナ３０を係止させることができる。板ばね５７が切欠き溝５９ａに係合するので、カラビナ３０を介してインパクトドライバ１０を吊り下げた状態では、カラビナフック２０が自由に移動することが抑制される。
【００３９】
カラビナ３０を係止させないときには、開放操作片２３ａを図２において左側にずらしてバッテリ装着部１３の側面に重なる位置にすると、インパクトドライバ１０を使用する際に、開放操作片２３ａは邪魔にならない。左側にずらすときには、カラビナフック２０に外力を加えてを移動させると、板ばね５７は切欠き溝５９ａから外れて切欠き溝５９ｂに係合する。この状態では、インパクトドライバ１０を使用しているときに、カラビナフック２０が自由に移動することが防止される。
【００４０】
上述したインパクトドライバ１０においては、図２に示されるように、インパクトドライバ１０のハウジング１４の左側の側面にカラビナフック２０が装着されている。右利きの使用者がハンドル部１１を右手に持って作業を行う場合には、使用者に取り付けられたベルト３１の右側にカラビナ３０を位置させるので、カラビナ３０にカラビナフック２０を係止させるには、カラビナフック２０はハウジング１４の左側の側面に装着される。
【００４１】
これに対して、左利きの使用者がインパクトドライバ１０をカラビナ３０に係止して吊り下げるときには、カラビナフック２０をハウジング１４の右側面に装着することができる。そのために、ハウジング１４の右側面にも、突起部５２が入り込む位置決め孔と、ねじ部材５４が取り付けられるねじ孔とが設けられている。ハウジング１４の左側面に設けられるねじ孔は右側面に設けられるねじ孔と同軸であり、左側面に設けられる溝は、右側面に設けられる溝に対向している。カラビナフック２０がハウジング１４の右側面に装着されるときには、開放操作片２３ｂが開放操作片２３ａに対してインパクトドライバ１０の後端部側となる。さらに、ねじ部材５４はスリーブ５１の取付孔５３ｂを貫通して、ハウジング１４に取り付けられる。
【００４２】
このように、ねじ部材５４によりスリーブ５１を取り外すことにより、ハウジング１４の左右両方の側面のいずれにもカラビナフック２０を装着し得る。また、ハウジング１４の左右両方の側面にそれぞれカラビナフック２０を装着することもできる。
【００４３】
図１０は、左右両方の側面にカラビナフック２０が装着されたインパクトドライバ１０の要部を示す。
【００４４】
図１０（Ａ）においては、両方のカラビナフック２０の一方の開放操作片が後方に迫り出した状態のインパクトドライバ１０が示されている。左側のカラビナフック２０は開放操作片２３ａがインパクトドライバ１０の基端部のバッテリ装着部１３の後方に迫り出し、右側のカラビナフック２０は開放操作片２３ｂが後方に迫り出している。図１０（Ｂ）においては、両方のカラビナフック２０がインパクトドライバ１０の前側にずらされて、それぞれがバッテリ装着部１３とバッテリ１５の側面に重なる重なり位置となったインパクトドライバ１０が示されている。言い換えれば、インパクトドライバ１０にカラビナフック２０が収納される状態となり、カラビナフック２０の不使用時にカラビナフック２０が邪魔になることが無い。図１０にはカラビナフック２０がインパクトドライバ１０の前後方向にスライド移動する説明があるが、例えばインパクトドライバ１０の左右方向を回転軸とし回転移動する形態としても同様の効果が得られる。このように、機器であるインパクトドライバ１０には、１つのカラビナフック２０を装着することができるだけでなく、２つのカラビナフック２０を装着することもできる。１つのカラビナフック２０を装着する場合には、ハウジング１４の左側面と右側面の一方から他方に位置換えすることもできる。
【００４５】
図１０に示されるように、２つのカラビナフック２０を装着する場合には、左側のカラビナフック２０のスリーブ５１は取付孔５３ａを貫通するねじ部材５４によりハウジング１４に取り付けられる。一方、右側のカラビナフック２０のスリーブ５１は取付孔５３ｂを貫通するねじ部材５４によりハウジング１４に取り付けられる。また、２つのカラビナフック２０を装着する場合には、ねじ部材５４に換えてリベットを用いて、スリーブ５１を外れないようにしても良い。
【００４６】
次に、カラビナフック２０のカラビナ３０への引っ掛け操作と、カラビナ３０からの取り外し操作とについて、図１１および図１２を参照して説明する。
【００４７】
図１１（Ａ）に示されるように、インパクトドライバ１０のカラビナフック２０を使用者Ｐのベルト３１のカラビナ３０に引っ掛けるには、まず、インパクトドライバ１０を下向きにし、上側となったカラビナフック２０をカラビナ３０のゲート３５に接触させる。次いで、図１１（Ｂ）に示されるように、カラビナフック２０をゲート３５に押し当てると、ゲート３５は押し開かれる。図１１（Ｃ）に示されるように、係止片２２がゲート３５を通過すると、カラビナフック２０はカラビナ３０を介してベルト３１に吊り下げられる。ベルト３１に吊り下げられると、図４に示されるように、工具本体部１２はバッテリ装着部１３よりも下側になり、インパクトドライバ１０の背面側が使用者Ｐの正面側になる。
【００４８】
一方、ベルト３１に吊り下げられたインパクトドライバ１０をカラビナ３０から取り外すには、図１２（Ａ）に示されるように、インパクトドライバ１０を使用姿勢に向けて反転させる。インパクトドライバ１０を吊り下げ姿勢から使用姿勢に反転させると、図１２（Ｂ）に示されるように、カラビナフック２０によりゲート３５が押し開かれる。このときには、図９に示したように、カラビナフック２０の支点部４１がカラビナ３０のアーム部３８の着脱ロッド３６側の部分に当接し、ここを中心にカラビナフック２０が反転位置に向けて回転する。この回転操作において、開放操作片２３ａの屈曲部４４および突出部４６がゲート３５の外面を滑って横切る方向に移動するので、カラビナフック２０の反転移動がゲート３５の開放動作に変換される。
【００４９】
したがって、使用者がインパクトドライバ１０をカラビナ３０から外すときには、吊り下げられた状態のインパクトドライバ１０を使用姿勢に反転させるという単純なワンアクションによって、ゲート３５を開放してカラビナフック２０をカラビナ３０から取り外すことができる。図１２（Ｃ）は、カラビナフック２０がゲート３５を通過してカラビナ３０から外れた状態を示す。インパクトドライバ１０を使用姿勢に反転させると、図１に示したインパクトドライバ１０の正面が使用者の正面を向くことになる。インパクトドライバ１０の正面が使用者の前方を向くので、インパクトドライバ１０の先端を作業箇所に向けて方向転換することなく、前方の壁等へのねじ打ち作業等をそのままの姿勢で行うことができる。つまり、ワンアクションでカラビナ３０からの取り外しと、作業箇所へのドリルビット１７の位置決めとを行うことができる。
【００５０】
図１３および図１４は他の実施の形態のカラビナフック２０ａを示す図であり、上述したカラビナフック２０と共通する部材には同一の符号が付されている。
【００５１】
カラビナフック２０ａの係止片２２はインパクトドライバ１０の側面に沿う方向にほぼ真っ直ぐに伸びており、上述したカラビナフック２０の屈曲部２４は係止片２２には設けられてない。係止片２２の両端部と装着片２１の両端部との間には、開放操作片２３ａ、２３ｂが設けられており、カラビナフック２０ａは、カラビナフック２０と同様に２つの開放操作片を備えたツイン形である。それぞれの開放操作片２３ａ、２３ｂは、屈曲部４３、４４を備えた湾曲部４２を有しており、屈曲部４４は、上述したカラビナフック２０の突出部４６を含めた長さである。突出部４６の先端には、スリーブ５１に向けて屈曲した取付基部４７が一体に設けられており、取付基部４７は装着片２１の端部に固定されている。
【００５２】
カラビナフック２０ａは、スリーブ５１の表面にベルトフック２５取り付けられている。ベルトフック２５はスリーブ５１に取り付けられて、スリーブ５１から係止片２２に向けて開放操作片２３ａ、２３ｂに沿って延びるフック基部２７と、フック基部２７の先端部から反転してフック基部２７に沿って平行に延びる係合舌片２８とを有している。係合舌片２８と開放操作片２３ａ、２３ｂとの間には隙間２６が形成される。
【００５３】
フック基部２７の先端部は図１３（Ａ）および図１４（Ａ）に示されるように、二股に分岐しており、フック基部２７の先端部に一体となった係合舌片２８は２つの舌部２８ａ、２８ｂを有し、両方の舌部２８ａ、２８ｂの先端は一体となっている。係合舌片２８の先端部の内側の円弧面２９は、図１３（Ａ）に示されるように、取付孔５３ｂを外部に露出させる。したがって、取付孔５３ｂにねじ部材５４を取り付けるときには、ねじ部材５４を円弧面２９の内側を通過させることができ、ねじ部材５４の取付操作を容易に行うことができる。なお、図１３および図１４に示したカラビナフック２０ａにおいては、ねじ部材５４は図示省略されている。
【００５４】
このように、ベルトフック２５をスリーブ５１に取り付けると、開放操作片２３ａ、２３ｂの一方を、インパクトドライバ１０のバッテリ装着部１３とバッテリ１５の側面から迫り出したときに、ベルトフック２５はベルトに沿って移動することがない。これにより、カラビナフック２０ａのスリーブ５１に沿った方向への移動をスムーズに行うことができる。
【００５５】
図１３および図１４に示したカラビナフック２０ａを、図１〜図４に示されるように、インパクトドライバ１０の一方の側面に取り付けるようにしても良く、図１０に示されるように、両方の側面に取り付けるようにしても良い。
【００５６】
それぞれのカラビナフック２０、２０ａは、対称的に２つの開放操作片２３ａ、２３ｂを備えたツイン型であるが、一方の側面のみに装着するようにしたカラビナフックとするのであれば、１つの開放操作片のみを備えたタイプとすることができる。
【００５７】
本発明は前記実施の形態に限定されるものではなく、その要旨を逸脱しない範囲で種々変更可能である。カラビナフック２０は、インパクトドライバ１０のみならず、ドライバドリル、電子パルスドライバ、ロータリハンマドリル、インパクトレンチ等のように、ハウジングを備えた機器に装着可能なフックに適用することができる。
【符号の説明】
【００５８】
１０    インパクトドライバ（機器）
１１    ハンドル部
１２    工具本体部
１３    バッテリ装着部
１４    ハウジング
２０、２５ａ    カラビナフック
２１    装着片
２２    係止片
２３ａ、２３ｂ    開放操作片
２４    屈曲部
２５    ベルトフック
３０    カラビナ
３１    ベルト
３５    ゲート
４１    支点部
４２    湾曲部
４３、４４    屈曲部
４５    中間部
４６    突出部
５０    ばねスイッチカバー
５１    スリーブ
５２    突起部
５４    ねじ部材
５５    長孔
５６    ばねホルダ
５７    板ばね
５８    ばねスイッチ
５９ａ、５９ｂ    切欠き溝
【図１】
2020104192.tif 000003
【図２】
2020104192.tif 000004
【図３】
2020104192.tif 000005
【図４】
2020104192.tif 000006
【図５】
2020104192.tif 000007
【図６】
2020104192.tif 000008
【図７】
2020104192.tif 000009
【図８】
2020104192.tif 000010
【図９】
2020104192.tif 000011
【図１０】
2020104192.tif 000012
【図１１】
2020104192.tif 000013
【図１２】
2020104192.tif 000014
【図１３】
2020104192.tif 000015
【図１４】
2020104192.tif 000016